(57)【要約】【課題】複数の携帯端末の商品化作業の工程を一括して管理できる携帯端末商品化工程管理装置及び携帯端末商品化工程管理方法を提供する。【解決手段】携帯端末商品化工程管理装置１０は、識別子ごとに携帯端末の等級を示すランク、及び商品化の工程ごとの開始または完了を示す工程管理情報を格納する端末Ｄ／Ｂ１０３Ａと、識別子ごとに検査工程において検査された携帯端末の検査結果を検査項目別に格納する検査結果ファイル１０３Ｂと、入出力部１０２と、識別子を読み取る識別子読取部（バーコードリーダ１０５）と、識別子読取部によって入力された識別子、及び工程ごとの開始又は完了を示すコードに基づいて端末Ｄ／Ｂ１０３Ａを更新し、工程管理情報を端末Ｄ／Ｂ１０３Ａから読み出して工程ごとの進捗状況を示す管理画面１２０１を入出力部１０２に表示し、識別子ごとに検査結果ファイル１０３Ｂから検査結果を読み出してランクを判定する制御部１０１と、を備える。【選択図】図１
2018003055.tif 000002
【特許請求の範囲】
【請求項１】
携帯端末に固有に割り当てられる識別子ごとに前記携帯端末の等級を示すランク、及び前記携帯端末の個人情報の消去工程を含む商品化の工程ごとの開始または完了を示す工程管理情報を格納する端末データベースと、
前記識別子ごとに検査工程において検査された前記携帯端末の検査結果を検査項目別に格納する検査結果ファイルと、
情報を入出力する入出力部と、
前記携帯端末に付された前記識別子を読み取る識別子読取部と、
前記識別子読取部によって入力された前記識別子、及び前記工程ごとの開始又は完了を示すコードに基づいて前記端末データベースを更新し、前記工程管理情報を前記端末データベースから読み出して前記工程ごとの進捗状況を示す管理画面を前記入出力部に表示し、前記識別子ごとに前記検査結果ファイルから前記検査結果を読み出して前記ランクを判定する制御部と、
を備える携帯端末商品化工程管理装置。
【請求項２】
入札のための情報である入札関連情報を格納する出品明細データベースをさらに備え、
前記端末データベースは、
前記携帯端末の状態に関する情報である端末情報をさらに格納し、
前記制御部は、
前記端末データベースから前記端末情報を読み出して前記入札関連情報を生成し、前記出品明細データベースに格納する請求項１に記載の携帯端末商品化工程管理装置。
【請求項３】
入札処理を行う制御部である入札処理制御部と、
入札のための情報である入札関連情報を格納する出品明細データベースと、
をさらに備え、
前記端末データベースは、
前記携帯端末の状態に関する情報である端末情報をさらに格納し、
前記制御部は、
前記端末データベースから前記端末情報を読み出して前記入札関連情報を生成し、
前記入札処理制御部は、
前記入札関連情報を前記出品明細データベースに格納する請求項１に記載の携帯端末商品化工程管理装置。
【請求項４】
前記入札処理制御部は、
公衆通信回線網を介して接続する応札者端末から応札を受け入れ、
前記応札の中から落札者を判定し、
落札に関する情報を格納する落札ファイルを生成する請求項３に記載の携帯端末商品化工程管理装置。
【請求項５】
前記入札処理制御部は、
前記落札ファイルに基づいてインボイスの情報を格納するインボイスファイルを生成し、前記応札者端末からの要求に応じて前記インボイスファイルを前記応札者端末に送信する請求項４に記載の携帯端末商品化工程管理装置。
【請求項６】
携帯端末に付された識別子を読み取る識別子読取部によって入力された前記識別子、及び前記携帯端末の個人情報の消去工程を含む商品化の工程ごとの開始又は完了を示すコードに基づいて、前記携帯端末に固有に割り当てられる前記識別子ごとに前記携帯端末の等級を示すランク、及び前記工程ごとの開始または完了を示す工程管理情報を格納する端末データベースを更新し、
前記工程管理情報を前記端末データベースから読み出して前記工程ごとの進捗状況を示す管理画面を入出力部に表示し、
前記識別子ごとに検査工程において検査された前記携帯端末の検査結果を検査項目別に格納する検査結果ファイルから前記識別子ごとに前記検査結果を読み出して前記ランクを判定する携帯端末商品化工程管理方法。
【請求項７】
前記携帯端末の状態に関する情報である端末情報をさらに格納する前記端末データベースから前記端末情報を読み出して入札のための情報である入札関連情報を生成し、
前記入札関連情報を出品明細データベースに格納する請求項６に記載の携帯端末商品化工程管理方法。
【請求項８】
公衆通信回線網を介して接続する応札者端末から応札を受け入れる請求項７に記載の携帯端末商品化工程管理方法。
【請求項９】
前記応札の中から落札者を判定し、落札に関する情報を格納する落札ファイルを生成する請求項８に記載の携帯端末商品化工程管理方法。
【請求項１０】
前記落札ファイルに基づいてインボイスの情報を格納するインボイスファイルを生成し、前記応札者端末からの要求に応じて前記インボイスファイルを前記応札者端末に送信する請求項９に記載の携帯端末商品化工程管理方法。
【発明の詳細な説明】
【技術分野】
【０００１】
本発明は、携帯端末商品化工程管理装置及び携帯端末商品化工程管理方法に関するものである。
【背景技術】
【０００２】
昨今、スマートフォンやタブレット端末のような携帯端末は幅広い世代の人々に人気がある。加えて、携帯端末はモデルチェンジが頻繁に行われ、新機種が次々と販売される。【０００３】
携帯端末の需要者は、できるだけ安く新機種を購入したいと考えることが多い。他方、携帯端末の販売者は、できるだけ早期に新機種に買い替えてほしいと考えている。【０００４】
そこで、携帯端末の販売者は、需要者からその需要者が現在使用している携帯端末を買い取り、その代金分を新機種の購入価格に充当することによって販売価格を引き下げ、買い替え需要を喚起している。買い取られた携帯端末は中古市場において販売され、買い取り代金が回収される。【０００５】
このような、販売者或いはその代理店の下には相当量の携帯端末が集められることになる。販売者等はこれらの携帯端末を再販売できるようにするための商品化作業を行う必要がある。【０００６】
商品化作業は、在庫管理及び工程管理を行いながら、少なくとも個別の携帯端末のデータ消去工程と、個別の携帯端末のグレーディング工程と、を行う必要がある。データ消去工程は個人情報を保護する観点から必要となる。グレーディング工程は携帯端末を再販売する際の商談に必要となる個別の携帯端末のランク分けを行う工程である。【０００７】
販売者等はこれらの工程を相当量の携帯端末に対して、抜けや漏れがないように行う必要がある。【０００８】
この点に関し、携帯端末のユーザから携帯端末を買い取る装置であって、自動的にデータ消去工程と、グレーディング工程と、を行う装置が提案されている（例えば、特許文献１。）。【０００９】
しかし、特許文献１に記載の装置は、ユーザが個別に消去工程とグレーディング工程を行うにとどまり、複数の携帯端末の商品化作業の工程を一括して管理することは出来ない。
【先行技術文献】
【特許文献】
【００１０】
【特許文献１】日本国  特開２０１６−３５７５８号公報
【発明の概要】
【発明が解決しようとする課題】
【００１１】
従って、複数の携帯端末の商品化作業の工程を一括して管理できる携帯端末商品化工程管理装置及び携帯端末商品化工程管理方法が求められている。
【課題を解決するための手段】
【００１２】
上記課題を解決するため、本発明は、携帯端末に固有に割り当てられる識別子ごとに前記携帯端末の等級を示すランク、及び前記携帯端末の個人情報の消去工程を含む商品化の工程ごとの開始または完了を示す工程管理情報を格納する端末データベースと、前記識別子ごとに検査工程において検査された前記携帯端末の検査結果を検査項目別に格納する検査結果ファイルと、情報を入出力する入出力部と、  前記携帯端末に付された前記識別子を読み取る識別子読取部と、前記識別子読取部によって入力された前記識別子、及び前記工程ごとの開始又は完了を示すコードに基づいて前記端末データベースを更新し、前記工程管理情報を前記端末データベースから読み出して前記工程ごとの進捗状況を示す管理画面を前記入出力部に表示し、前記識別子ごとに前記検査結果ファイルから前記検査結果を読み出して前記ランクを判定する制御部と、を備える携帯端末商品化工程管理装置を提供する。
【発明の効果】
【００１３】
本発明によれば、複数の携帯端末の商品化作業の工程を一括して管理できる携帯端末商品化工程管理装置及び携帯端末商品化工程管理方法を提供することができる。
【図面の簡単な説明】
【００１４】
【図１】携帯端末商品化工程管理装置の構成を示すブロック図。
【図２】端末データベースのデータ構造を示す図。
【図３】検査結果ファイルのデータ構成を示す図。
【図４】ランク判定基準を示す図。
【図５】トランザクションファイルのデータ構成を示す図。
【図６】出品明細データベースのデータ構成を示す図。
【図７】応札ファイルのデータ構成を示す図。
【図８】落札ファイルのデータ構成を示す図。
【図９】インボイスファイルのデータ構成を示す図。
【図１０】作業者による業務の流れと商品化サーバの動作の対応関係を示す図。
【図１１】商品化サーバの管理画面表示動作を示すフローチャート。
【図１２】管理画面の例を示す図。
【図１３】商品化サーバのグレーディング動作を示すフローチャート。
【図１４】商品化サーバの入札・インボイス発行処理の動作を示すフローチャート。
【図１５】商品化サーバの個別販売・インボイス発行処理の動作を示すフローチャート。
【図１６】入札サーバを設けた携帯端末商品化装置の構成を示す図。
【発明を実施するための形態】
【００１５】
以下、本発明の一実施形態にかかる携帯端末商品化工程管理装置及び携帯端末商品化工程管理方法の例を、図面を参照しながら説明する。
【００１６】
本発明によれば、以下の携帯端末商品化工程管理装置及び携帯端末商品化工程管理方法が提供される。
【００１７】
［１］
【００１８】
携帯端末に固有に割り当てられる識別子ごとに前記携帯端末の等級を示すランク、及び前記携帯端末の個人情報の消去工程を含む商品化の工程ごとの開始または完了を示す工程管理情報を格納する端末データベースと、
前記識別子ごとに検査工程において検査された前記携帯端末の検査結果を検査項目別に格納する検査結果ファイルと、
情報を入出力する入出力部と、
前記携帯端末に付された前記識別子を読み取る識別子読取部と、
前記識別子読取部によって入力された前記識別子、及び前記工程ごとの開始又は完了を示すコードに基づいて前記端末データベースを更新し、前記工程管理情報を前記端末データベースから読み出して前記工程ごとの進捗状況を示す管理画面を前記入出力部に表示し、前記識別子ごとに前記検査結果ファイルから前記検査結果を読み出して前記ランクを判定する制御部と、
を備える携帯端末商品化工程管理装置。
【００１９】
［２］
【００２０】
入札のための情報である入札関連情報を格納する出品明細データベースをさらに備え、
前記端末データベースは、
前記携帯端末の状態に関する情報である端末情報をさらに格納し、
前記制御部は、
前記端末データベースから前記端末情報を読み出して前記入札関連情報を生成し、前記出品明細データベースに格納する［１］に記載の携帯端末商品化工程管理装置。
【００２１】
［３］
【００２２】
入札処理を行う制御部である入札処理制御部と、
入札のための情報である入札関連情報を格納する出品明細データベースと、
をさらに備え、
前記端末データベースは、
前記携帯端末の状態に関する情報である端末情報をさらに格納し、
前記制御部は、
前記端末データベースから前記端末情報を読み出して前記入札関連情報を生成し、
前記入札処理制御部は、
前記入札関連情報を前記出品明細データベースに格納する［１］に記載の携帯端末商品化工程管理装置。
【００２３】
［４］
【００２４】
前記入札処理制御部は、
公衆通信回線網を介して接続する応札者端末から応札を受け入れ、
前記応札の中から落札者を判定し、
落札に関する情報を格納する落札ファイルを生成する［３］に記載の携帯端末商品化工程管理装置。
【００２５】
［５］
【００２６】
前記入札処理制御部は、
前記落札ファイルに基づいてインボイスの情報を格納するインボイスファイルを生成し、前記応札者端末からの要求に応じて前記インボイスファイルを前記応札者端末に送信する［４］に記載の携帯端末商品化工程管理装置。
【００２７】
［６］
【００２８】
携帯端末に付された識別子を読み取る識別子読取部によって入力された前記識別子、及び前記携帯端末の個人情報の消去工程を含む商品化の工程ごとの開始又は完了を示すコードに基づいて、携帯端末に固有に割り当てられる前記識別子ごとに前記携帯端末の等級を示すランク、及び前記工程ごとの開始または完了を示す工程管理情報を格納する端末データベースを更新し、
前記工程管理情報を前記端末データベースから読み出して前記工程ごとの進捗状況を示す管理画面を入出力部に表示し、
前記識別子ごとに検査工程において検査された前記携帯端末の検査結果を検査項目別に格納する検査結果ファイルから前記識別子ごとに前記検査結果を読み出して前記ランクを判定する携帯端末商品化工程管理方法。
【００２９】
［７］
【００３０】
前記携帯端末の状態に関する情報である端末情報をさらに格納する前記端末データベースから前記端末情報を読み出して入札のための情報である入札関連情報を生成し、
前記入札関連情報を出品明細データベースに格納する［６］に記載の携帯端末商品化工程管理方法。
【００３１】
［８］
【００３２】
公衆通信回線網を介して接続する応札者端末から応札を受け入れる［７］に記載の携帯端末商品化工程管理方法。
【００３３】
［９］
【００３４】
前記応札の中から落札者を判定し、落札に関する情報を格納する落札ファイルを生成する［８］に記載の携帯端末商品化工程管理方法。
【００３５】
［１０］
【００３６】
前記落札ファイルに基づいてインボイスの情報を格納するインボイスファイルを生成し、前記応札者端末からの要求に応じて前記インボイスファイルを前記応札者端末に送信する［９］に記載の携帯端末商品化工程管理方法。
【００３７】
図１は、携帯端末商品化工程管理装置１０の構成を示すブロック図である。図１に示すように、携帯端末商品化工程管理装置１０は、商品化サーバ１００と、識別子読取部であるバーコードリーダ１０５と、識別子出力部であるバーコードプリンタ１０６と、を備える。商品化サーバ１００は、インターネットのような公衆通信回線網３０を介して応札者端末２０と接続することができる。
【００３８】
商品化サーバ１００は、いわゆるサーバコンピュータであり、制御部１０１と、入出力部１０２と、記憶部１０３と、通信部１０４と、を備える。
【００３９】
制御部１０１は、演算装置であるＣＰＵ（central processing unit）を含む。
【００４０】
入出力部１０２は、キーボード、ディスプレイ又はタッチパネル、マウスなどの入出力装置を含む。入出力部１０２は、管理者のもとに１台以上、各作業者のもとにそれぞれ１台以上配置される。これらの入出力部１０２はいわゆるクライアントコンピュータであってもよい。
【００４１】
記憶部１０３は、メモリ、ハードディスクドライブなどの記憶装置を含む。記憶部１０３は、端末データベース（以下、端末Ｄ／Ｂ１０３Ａという。）と、検査結果ファイル１０３Ｂと、トランザクションファイル１０３Ｃと、出品明細データベース（以下、出品明細Ｄ／Ｂ１０３Ｄという。）と、応札ファイル１０３Ｅと、落札ファイル１０３Ｆと、インボイスファイル１０３Ｇと、を記憶する。
【００４２】
端末Ｄ／Ｂ１０３Ａは、商品化を行うために受け入れた携帯端末に個別に割り当てられる識別子であるバーコードＮｏ．ごとに、管理情報と、端末情報と、ランクと、工程管理情報と、を格納する。
【００４３】
検査結果ファイル１０３Ｂは、バーコードＮｏ．ごとに、携帯情報端末の検査項目ごとの検査結果を格納する。
【００４４】
トランザクションファイル１０３Ｃは、バーコードＮｏ．ごとに、管理情報と、端末情報と、ランクと、を格納する。
【００４５】
出品明細Ｄ／Ｂ１０３Ｄは、出品ごとに固有に割り当てられる識別子である出品明細ＩＤごとに、入札情報と、端末情報と、ランクと、を格納する。
【００４６】
応札ファイル１０３Ｅは、応札ごとに固有に割り当てられる識別子である応札ＩＤごとに、応札情報と、応札金額と、を格納する。
【００４７】
落札ファイル１０３Ｆは、落札ごとに固有に割り当てられる識別子である落札ＩＤごとに、落札情報と、端末情報と、ランクと、落札金額と、を格納する。
【００４８】
インボイスファイル１０３Ｇは、インボイスごとに固有に割り当てられる識別子であるインボイスＮｏ．ごとに、落札情報と、端末情報と、ランクと、落札金額と、を格納する。
【００４９】
通信部１０４は、外部機器との通信を行うほか、公衆通信回線網３０を介して応札者端末２０と通信を行う。
【００５０】
バーコードリーダ１０５は、バーコードを読込み、デコードして制御部１０１に出力する。
【００５１】
バーコードプリンタ１０６は、バーコードＮｏ．をバーコードにエンコードしてラベルに画像形成する。
【００５２】
応札者端末２０は、いわゆるパーソナルコンピュータ或いはいわゆるタブレット端末であり、ＣＰＵなどの演算装置を含む制御部と、キーボード、ディスプレイ或いはタッチパネル、マウスなどの入出力装置を含む入出力部と、メモリなどの記憶装置を含む記憶部と、公衆通信回線網３０を介して商品化サーバ１００と通信を行う通信部と、を備える。
【００５３】
図２は、端末Ｄ／Ｂ１０３Ａのデータ構造を示す図である。図２に示すように、端末Ｄ／Ｂ１０３Ａは、バーコードＮｏ．ごとに、工程管理のために携帯端末を識別して管理する情報である管理情報と、携帯端末の状態に関する情報である端末情報と、端末の状態によって定められる等級であるランクと、各工程が完了したか否かの情報を含む工程管理情報と、を格納する。
【００５４】
管理情報は、例えば、仕入れ先に固有に割り当てられる識別子である仕入れ先コードと、携帯端末が商品化作業の際に載置されるトレイに固有に割り当てられる識別子であるトレイＮｏ．と、携帯端末が収納される箱に固有に割り当てられる識別子であるボックスＮｏ．と、を含む。
【００５５】
端末情報は、携帯端末のメーカーと、携帯端末の型番と、携帯端末の通信キャリアを示すキャリアと、携帯端末ごとに固有に割り当てられる識別子であるＩＭＥＩ（International Mobile Equipment Identity）と、携帯端末の色と、を含む。
【００５６】
工程管理情報は、例えば、携帯端末の受け入れ処理の完了を示す受入工程完了フラグと、受け入れ処理の完了日時を示す受入工程完了日時と、携帯端末の充電作業の完了を示す充電工程完了フラグと、充電作業の完了日時を示す充電完了日時と、携帯端末の個人データの消去処理の完了を示す消去工程完了フラグと、消去処理の完了日時を示す消去工程完了日時と、携帯端末のグレーディングの完了を示すグレーディング工程完了フラグと、グレーディングの完了日時を示すグレーディング完了日時と、を含む。工程管理情報はさらに、工程ごとに担当した作業者を示すスタッフＩＤを含んでいてもよい。
【００５７】
図３は、検査結果ファイル１０３Ｂのデータ構成を示す図である。図３に示すように、検査結果ファイル１０３Ｂは、バーコードＮｏ．ごとに、携帯端末の動作状態、外観状態、水没反応などの障害履歴などの検査項目ごとに数値化された検査結果であるポイントを格納する。
【００５８】
例えば、ボタン動作が良好であった場合には０ポイントが格納され、バイブ動作を全く行えない場合には１０ポイントが格納され、液晶パネルに小さな傷がある場合には５ポイントが格納される。
【００５９】
図４は、ランク判定基準を示す図である。図４に示すように、各検査項目の検査結果の総合計に基づいてランクが判定される。
【００６０】
例えば、Ａランクは検査結果の総合計が１９ポイント以下であればＡランクが付与される。ランクは検査結果の総合計が低いほど良いランクが付与される。
【００６１】
図５は、トランザクションファイル１０３Ｃのデータ構成を示す図である。図５に示すように、トランザクションファイル１０３Ｃは、端末Ｄ／Ｂ１０３Ａから抽出したバーコードＮｏ．ごとに、端末Ｄ／Ｂ１０３Ａから抽出された管理情報と、端末情報と、ランクと、を含むトランザクションデータを格納する。
【００６２】
図６は、出品明細Ｄ／Ｂ１０３Ｄのデータ構成を示す図である。図６に示すように、出品明細Ｄ／Ｂ１０３Ｄは、入札のための情報である入札関連情報として、出品明細ＩＤごとに、入札に関する基本情報である入札情報と、端末情報と、ランクと、を格納する。
【００６３】
入札情報は、入札者に固有に割り当てられる入札者ＩＤと、携帯端末に固有に割り当てられる商品ＩＤと、を含む。
【００６４】
図７は、応札ファイル１０３Ｅのデータ構成を示す図である。図７に示すように、応札ファイル１０３Ｅは、応札ＩＤごとに、応札者に固有に割り当てられる識別子である応札者ＩＤ及び商品ＩＤを含む入札情報と、応札金額と、を格納する。
【００６５】
図８は、落札ファイル１０３Ｆのデータ構成を示す図である。図８に示すように、落札ファイル１０３Ｆは、落札ＩＤは、落札に関する情報である落札情報と、端末情報と、ランクと、落札金額と、を格納する。落札情報は、落札した入札者の応札者ＩＤと、落札した携帯端末の商品ＩＤと、落札した携帯端末のバーコードＮｏ．と、を含む。
【００６６】
図９は、インボイスファイル１０３Ｇのデータ構成を示す図である。図９に示すように、インボイスファイル１０３Ｇは、インボイスＮｏ．ごとに、落札情報と、端末情報と、ランクと、落札金額と、を格納する。
【００６７】
図１０は、作業者による業務の流れと商品化サーバ１００の動作の対応関係を示す図である。以下、商品化サーバ１００の制御部１０１による動作を商品化サーバ１００の動作として説明する。各工程はそれぞれ別の作業者によって実施され、流れ作業の要領によって順に実施される。
【００６８】
図１０に示すように、ステップＳ１において、作業者は受入工程を実施する。受入工程においては、ステップＡ１において商品化サーバ１００がバーコードＮｏ．を発番し、バーコードプリンタ１０６によってバーコードＮｏ．をラベルに出力する。
【００６９】
作業者はラベルを携帯端末に貼付し、バーコードをバーコードリーダ１０５によって読み取るとともに、受入工程開始を示すバーコードをバーコードリーダによって読み取る。バーコードリーダ１０５は、読み取ったバーコードＮｏ．と、受入工程開始を示すコードを商品化サーバ１００に入力する。
【００７０】
商品化サーバ１００は、受入工程開始を示すコードを入力すると、バーコードＮｏ．に基づいて端末Ｄ／Ｂ１０３Ａの受入工程完了フラグに受入工程開始を示すフラグを、受入工程完了日時に受入工程開始の日時を格納する。
【００７１】
作業者は、次いで仕入れ先コード、トレイＮｏ．を示すバーコードをバーコードリーダ１０５によって読み取る。バーコードリーダ１０５は、読み取った仕入れ先コードと、トレイＮｏ．とを商品化サーバ１００に入力する。
【００７２】
商品化サーバ１００は、入力された仕入れ先コード、トレイＮｏ．をバーコードＮｏ．に基づいてそれぞれ端末Ｄ／Ｂ１０３Ａに格納する。
【００７３】
作業者は、受入工程が完了すると、バーコードをバーコードリーダ１０５によって読み取るとともに、受入工程完了を示すバーコードをバーコードリーダ１０５によって読み取る。
【００７４】
ステップＤ１において、バーコードリーダ１０５は、読み取ったバーコードＮｏ．と受入工程完了を示すコードを商品化サーバ１００に入力する。
【００７５】
商品化サーバ１００は、入力したバーコードＮｏ．に基づいて端末Ｄ／Ｂ１０３Ａの受入工程完了フラグに受入工程完了を示すフラグを、受入工程完了日時に受入工程完了の日時を格納する。
【００７６】
ステップＳ２において、作業者は充電工程を実施する。充電工程においては、作業者はバーコードをバーコードリーダ１０５によって読み取るとともに、充電工程開始を示すバーコードをバーコードリーダによって読み取る。バーコードリーダ１０５は、読み取ったバーコードＮｏ．と、充電工程開始を示すコードを商品化サーバ１００に入力する。
【００７７】
商品化サーバ１００は、充電工程開始を示すコードを入力すると、バーコードＮｏ．に基づいて端末Ｄ／Ｂ１０３Ａの充電工程完了フラグに充電工程開始を示すフラグを、充電工程完了日時に充電工程開始の日時を格納する。
【００７８】
作業者は、次いで携帯端末を充電器に接続し、充電工程を実施する。
【００７９】
作業者は、充電工程が完了すると、バーコードをバーコードリーダ１０５によって読み取るとともに、充電工程完了を示すバーコードをバーコードリーダ１０５によって読み取る。
【００８０】
ステップＤ２において、バーコードリーダ１０５は、読み取ったバーコードＮｏ．と充電工程完了を示すコードを商品化サーバ１００に入力する。
【００８１】
商品化サーバ１００は、入力したバーコードＮｏ．に基づいて端末Ｄ／Ｂ１０３Ａの充電工程完了フラグに充電工程完了を示すフラグを、充電工程完了日時に充電工程完了の日時を格納する。
【００８２】
ステップＳ３において、作業者は情報取得工程を実施する。情報取得工程においては、作業者はバーコードをバーコードリーダ１０５によって読み取るとともに、情報取得工程開始を示すバーコードをバーコードリーダによって読み取る。バーコードリーダ１０５は、読み取ったバーコードＮｏ．と、情報取得工程開始を示すコードを商品化サーバ１００に入力する。
【００８３】
商品化サーバ１００は、情報取得工程開始を示すコードを入力すると、バーコードＮｏ．に基づいて端末Ｄ／Ｂ１０３Ａの情報取得工程完了フラグに情報取得工程開始を示すフラグを、情報取得工程完了日時に情報取得工程開始の日時を格納する。
【００８４】
作業者は、次いで携帯端末を操作し、各種の情報を取得して入出力部１０２を介して商品化サーバ１００に入力することによって情報取得工程を実施する。この情報取得工程はソフトウエアを用いて行うことができる。例えば、クライアントコンピュータである入出力部１０２に情報取得ソフトウエアをインストールしておき、この入出力部１０２を携帯端末とケーブルによって接続する。入出力部１０２は情報取得ソフトウエアによってＩＭＥＩを含む各種の情報を取得する。また、情報取得ソフトウエアは入出力部１０２にＩＭＥＩをバーコードによって出力する。作業者はこのバーコードをスキャンして商品化サーバ１００にＩＭＥＩを端末Ｄ／Ｂ１０３Ａに格納させる。情報取得ソフトウエアとしては、例えばフィンランド国のBlancco Oy Ltd.が提供するBlancco 5 Mobileなどの市販のものを使用することができる。
【００８５】
作業者は、情報取得工程が完了すると、バーコードをバーコードリーダ１０５によって読み取るとともに、情報取得工程完了を示すバーコードをバーコードリーダ１０５によって読み取る。
【００８６】
ステップＤ３において、バーコードリーダ１０５は、読み取ったバーコードＮｏ．と情報取得工程完了を示すコードを商品化サーバ１００に入力する。
【００８７】
商品化サーバ１００は、入力したバーコードＮｏ．に基づいて端末Ｄ／Ｂ１０３Ａの情報取得工程完了フラグに情報取得工程完了を示すフラグを、情報取得工程完了日時に情報取得工程完了の日時を格納する。
【００８８】
ステップＳ４において、作業者は仕分け工程を実施する。仕分け工程においては、作業者はバーコードをバーコードリーダ１０５によって読み取るとともに、仕分け工程開始を示すバーコードをバーコードリーダによって読み取る。バーコードリーダ１０５は、読み取ったバーコードＮｏ．と、仕分け工程開始を示すコードを商品化サーバ１００に入力する。
【００８９】
商品化サーバ１００は、仕分け工程開始を示すコードを入力すると、バーコードＮｏ．に基づいて端末Ｄ／Ｂ１０３Ａの仕分け工程完了フラグに仕分け工程開始を示すフラグを、仕分け工程完了日時に仕分け工程開始の日時を格納する。
【００９０】
作業者は、次いで携帯端末を、例えば機種や色、受入可否、水没反応の有無などによって仕分けをすることにより仕分け工程を実施する。仕分けの結果は、別途バーコードをスキャンすることにより商品化サーバ１００に入力され、端末Ｄ／Ｂ１０３Ａに格納される。後続の工程においても、携帯端末に商品化に際しての致命的な欠陥が発見された場合には、その理由を示すバーコードがスキャンされ、その携帯端末は商品化作業から「離脱」される。
【００９１】
作業者は、仕分け工程が完了すると、バーコードをバーコードリーダ１０５によって読み取るとともに、仕分け工程完了を示すバーコードをバーコードリーダ１０５によって読み取る。
【００９２】
ステップＤ４において、バーコードリーダ１０５は、読み取ったバーコードＮｏ．と仕分け工程完了を示すコードを商品化サーバ１００に入力する。
【００９３】
商品化サーバ１００は、入力したバーコードＮｏ．に基づいて端末Ｄ／Ｂ１０３Ａの仕分け工程完了フラグに仕分け工程完了を示すフラグを、仕分け工程完了日時に仕分け工程完了の日時を格納する。
【００９４】
ステップＳ５において、作業者は消去工程を実施する。消去工程においては、作業者はバーコードをバーコードリーダ１０５によって読み取るとともに、消去工程開始を示すバーコードをバーコードリーダによって読み取る。バーコードリーダ１０５は、読み取ったバーコードＮｏ．と、消去工程開始を示すコードを商品化サーバ１００に入力する。
【００９５】
商品化サーバ１００は、消去工程開始を示すコードを入力すると、バーコードＮｏ．に基づいて端末Ｄ／Ｂ１０３Ａの消去工程完了フラグに消去工程開始を示すフラグを、消去工程完了日時に消去工程開始の日時を格納する。
【００９６】
作業者は、次いで携帯端末から個人情報を完全に消去する消去工程を実施する。携帯端末はいわゆるオールリセットを実施しても個人情報は完全には消去されず、第三者に読み取られる可能性がある。
【００９７】
そこで、作業者は携帯端末を、情報末梢ソフトウエアがインストールされた別途設けられる消去用パーソナルコンピュータにケーブルを用いて接続する。消去用パーソナルコンピュータは情報末梢ソフトウエアによって携帯端末の記憶装置にランダムなデータを複数回上書きすることにより個人情報を完全に抹消する。この情報末梢ソフトウエアは、例えばフィンランド国のBlancco Oy Ltd.が提供するBlancco 5 Mobileなどの市販のものを使用することができる。
【００９８】
作業者は、消去工程が完了すると、バーコードをバーコードリーダ１０５によって読み取るとともに、消去工程完了を示すバーコードをバーコードリーダ１０５によって読み取る。作業者は消去が成功したか否かも別途設けられるバーコードをバーコードリーダ１０５によってスキャンすることにより商品化サーバ１００に入力する。商品化サーバ１００は入力された消去成功の可否を端末Ｄ／Ｂ１０３Ａに格納する。
【００９９】
ステップＤ５において、バーコードリーダ１０５は、読み取ったバーコードＮｏ．と消去工程完了を示すコードを商品化サーバ１００に入力する。
【０１００】
商品化サーバ１００は、入力したバーコードＮｏ．に基づいて端末Ｄ／Ｂ１０３Ａの消去工程完了フラグに消去工程完了を示すフラグを、消去工程完了日時に消去工程完了の日時を格納する。
【０１０１】
ステップＳ６において、作業者は検査工程を実施する。検査工程においては、作業者はバーコードをバーコードリーダ１０５によって読み取るとともに、検査工程開始を示すバーコードをバーコードリーダによって読み取る。バーコードリーダ１０５は、読み取ったバーコードＮｏ．と、検査工程開始を示すコードを商品化サーバ１００に入力する。
【０１０２】
商品化サーバ１００は、検査工程開始を示すコードを入力すると、バーコードＮｏ．に基づいて端末Ｄ／Ｂ１０３Ａの検査工程完了フラグに検査工程開始を示すフラグを、検査工程完了日時に検査工程開始の日時を格納する。
【０１０３】
作業者は、次いで携帯端末の状態を、携帯端末を操作したり、目視確認したりすることにより検査する。作業者は検査結果を、バーコードリーダ１０５によって各検査結果に対応するバーコードをスキャンすることにより商品化サーバ１００に入力する。商品化サーバ１００は検査結果をバーコードＮｏ．ごとに検査結果ファイル１０３Ｂに格納する。
【０１０４】
作業者は、検査工程が完了すると、バーコードをバーコードリーダ１０５によって読み取るとともに、検査工程完了を示すバーコードをバーコードリーダ１０５によって読み取る。検査工程が完了すると入出力部１０２にランクが表示される。作業者はランクごとに携帯端末を仕分ける。
【０１０５】
ステップＤ６において、バーコードリーダ１０５は、読み取ったバーコードＮｏ．と検査工程完了を示すコードを商品化サーバ１００に入力する。
【０１０６】
商品化サーバ１００は、入力したバーコードＮｏ．に基づいて端末Ｄ／Ｂ１０３Ａの検査工程完了フラグに検査工程完了を示すフラグを、検査工程完了日時に検査工程完了の日時を格納する。
【０１０７】
ステップＳ７において、作業者は箱詰め工程を実施する。箱詰め工程においては、作業者はバーコードＮｏ．をバーコードリーダ１０５によって読み取るとともに、箱詰め工程開始を示すバーコードをバーコードリーダによって読み取る。バーコードリーダ１０５は、読み取ったバーコードＮｏ．と、箱詰め工程開始を示すコードを商品化サーバ１００に入力する。ここで、箱詰めは1個ずつ箱詰めしても、複数個、例えば１００個ずつ箱詰めしてもよい。
【０１０８】
商品化サーバ１００は、箱詰め工程開始を示すコードを入力すると、バーコードＮｏ．に基づいて端末Ｄ／Ｂ１０３Ａの箱詰め工程完了フラグに箱詰め工程開始を示すフラグを、箱詰め工程完了日時に箱詰め工程開始の日時を格納する。
【０１０９】
作業者は、次いで携帯端末を箱詰めする。
【０１１０】
作業者は、箱詰め工程が完了すると、バーコードをバーコードリーダ１０５によって読み取るとともに、箱詰め工程完了を示すバーコードをバーコードリーダ１０５によって読み取る。
【０１１１】
ステップＤ７において、バーコードリーダ１０５は、読み取ったバーコードＮｏ．と箱詰め工程完了を示すコードを商品化サーバ１００に入力する。
【０１１２】
商品化サーバ１００は、入力したバーコードＮｏ．に基づいて端末Ｄ／Ｂ１０３Ａの箱詰め工程完了フラグに箱詰め工程完了を示すフラグを、箱詰め工程完了日時に箱詰め工程完了の日時を格納する。
【０１１３】
ステップＡ２において、管理者は任意のタイミングにて管理画面を入出力部１０２のディスプレイ等の表示部に表示させ、各工程の進捗を確認することができる。
【０１１４】
ステップＡ３において、商品化サーバ１００はグレーディング動作を行い、各携帯端末のランクをバーコードＮｏ．ごとに端末Ｄ／Ｂ１０３Ａに格納する。
【０１１５】
ステップＡ４において、商品化サーバ１００は、公衆通信回線網３０を介して接続する応札者端末２０から応札を受け入れる入札処理又は個別販売処理を行う。この際、入札処理の場合には落札価格が、個別販売処理の場合には販売価格が、インボイスファイル１０３Ｇの落札価格に格納される。
【０１１６】
ステップＳ８において、作業者は出庫工程を実施する。出庫工程においては、作業者はバーコードをバーコードリーダ１０５によって読み取るとともに、出庫工程開始を示すバーコードをバーコードリーダによって読み取る。バーコードリーダ１０５は、読み取ったバーコードＮｏ．と、出庫工程開始を示すコードをと、インボイスＮｏ．と、を商品化サーバ１００に入力する。
【０１１７】
商品化サーバ１００は、出庫工程開始を示すコードを入力すると、バーコードＮｏ．に基づいて端末Ｄ／Ｂ１０３Ａの出庫工程完了フラグに出庫工程開始を示すフラグを、出庫工程完了日時に出庫工程開始の日時を格納する。
【０１１８】
作業者は、次いで携帯端末を出庫する。
【０１１９】
作業者は、出庫工程が完了すると、バーコードをバーコードリーダ１０５によって読み取るとともに、出庫工程完了を示すバーコードをバーコードリーダ１０５によって読み取る。
【０１２０】
ステップＤ８において、バーコードリーダ１０５は、読み取ったバーコードＮｏ．と出庫工程完了を示すコードを商品化サーバ１００に入力する。
【０１２１】
商品化サーバ１００は、入力したバーコードＮｏ．に基づいて端末Ｄ／Ｂ１０３Ａの出庫工程完了フラグに出庫工程完了を示すフラグを、出庫工程完了日時に出庫工程完了の日時を格納する。
【０１２２】
ステップＡ５において、商品化サーバ１００はインボイス発行処理を行う。
【０１２３】
図１１は、商品化サーバ１００の管理画面表示動作を示すフローチャートである。図１１に示すように、ステップ１１０１において、商品化サーバ１００は、端末Ｄ／Ｂ１０３Ａから工程管理情報を読込む。
【０１２４】
ステップ１１０２において、商品化サーバ１００は、工程ごとに携帯端末の数、具体的にはバーコードＮｏ．の数をカウントする。
【０１２５】
ステップ１１０３において、商品化サーバ１００は管理画面１２０１を入出力部１０２の表示部に表示する。
【０１２６】
図１２は、管理画面１２０１の例を示す図である。図１２に示すように、管理画面１２０１は、各工程の進捗を示すグラフを表示するグラフ表示欄１２０２と、各工程の状態ごとの携帯端末の数を示す詳細表示欄１２０３と、状態ごとの携帯端末の合計数を表示する合計表示欄１２０４と、を含む。
【０１２７】
グラフ表示欄１２０２においては、斜線によって示す、各工程が開始された携帯端末の数を示すグラフと、墨塗りによって示す、各工程が完了した携帯端末の数を示すグラフとが、工程ごとに表示される。
【０１２８】
詳細表示欄１２０３においては、状態として、例えば開始、作業中、完了、返品、損壊などが表示される。これらの状態は端末Ｄ／Ｂ１０３Ａに、バーコードＮｏ．ごとに格納される。
【０１２９】
図１３は、商品化サーバ１００のグレーディング動作を示すフローチャートである。図１３に示すように、ステップ１３０１において、商品化サーバ１００は、バーコードＮｏ．を、端末Ｄ／Ｂ１０３Ａ、バーコードリーダ１０５、及び入出力部１０２のいずれかから入力する。
【０１３０】
ステップ１３０２において、商品化サーバ１００は、入力されたバーコードＮｏ．に基づいて検査結果ファイル１０３Ｂを検索し、検査結果である各工程のポイントを読み出し、合算する。
【０１３１】
ステップ１３０３において、商品化サーバ１００は、合算値に基づいてランクを判定する。
【０１３２】
ステップ１３０４において、商品化サーバ１００は、判定されたランクを端末Ｄ／Ｂ１０３Ａに格納する。
【０１３３】
図１４は、商品化サーバ１００の入札・インボイス発行処理の動作を示すフローチャートである。図１４に示すように、ステップ１４０１において、商品化サーバ１００は、入札する、つまりオークションに出品する携帯端末のバーコードＮｏ．をバーコードリーダ１０５及び入出力部１０２のいずれかから入力する。
【０１３４】
ステップ１４０２において、商品化サーバ１００は、端末Ｄ／Ｂ１０３Ａからトランザクションファイル１０３Ｃを生成する。トランザクションファイル１０３ＣはいわゆるＣＳＶ（comma-separated values）ファイルであってもよい。
【０１３５】
ステップ１４０３において、商品化サーバ１００は、トランザクションファイル１０３Ｃの内容を出品明細Ｄ／Ｂ１０３Ｄに、出品明細ＩＤごとに格納する。
【０１３６】
ステップ１４０４において、商品化サーバ１００は、応札者端末２０から入力された情報に基づいて応札ファイル１０３Ｅを応札ＩＤごとに生成する。
【０１３７】
ステップ１４０５において、商品化サーバ１００は、応札ファイル１０３Ｅが生成されてから、つまり応札者からの応札があった時から、所定時間が経過したかを判定する。商品化サーバ１００は、所定時間が経過したと判定した場合（ステップ１４０５のＹ）、ステップ１４０６に進み、所定時間が経過していないと判定した場合（ステップ１４０５のＮ）、ステップ１４０５に戻る。
【０１３８】
ステップ１４０６において、商品化サーバ１００は落札者を決定する。具体的には、商品ＩＤに基づいて各応札ファイル１０３Ｅから応札金額を読み出し、読み出した応札金額のうち最も高い応札金額が格納されている応札ファイル１０３Ｅの応札者ＩＤを読出して落札者とする。
【０１３９】
ステップ１４０７において、商品化サーバ１００は落札ファイル１０３Ｆを生成する。具体的には、落札者の応札ファイル１０３Ｅから応札情報を読出し、応札情報に含まれる商品ＩＤに基づいて出品明細Ｄ／ＢからバーコードＮｏ．、端末情報、及びランクを読み出して落札情報及び端末情報、ランクを生成し、落札者の応札ファイル１０３Ｅの応札金額を落札金額とする。
【０１４０】
ステップ１４０８において、商品化サーバ１００はインボイスファイル１０３Ｇを生成する。インボイスファイル１０３Ｇの内容は、落札ファイル１０３Ｆの落札ＩＤの代わりにインボイスＮｏ．が格納されている他は落札ファイル１０３Ｆの内容と同様である。
【０１４１】
商品化サーバ１００は、応札者端末２０からの要求に応じてインボイスファイル１０３Ｇを応札者端末２０に送信する。
【０１４２】
図１５は、商品化サーバ１００の個別販売・インボイス発行処理の動作を示すフローチャートである。図１５に示すように、ステップ１５０１において、商品化サーバ１００は、応札する携帯端末のバーコードＮｏ．をバーコードリーダ１０５及び入出力部１０２のいずれかから入力する。
【０１４３】
ステップ１５０２において、商品化サーバ１００は、商談等によって決定した販売価格を入出力部１０２から入力し、メモリに格納する。
【０１４４】
ステップ１５０３において、商品化サーバ１００は、インボイスファイル１０３Ｇを生成し、メモリに格納した販売価格を落札金額に格納する。
【０１４５】
商品化サーバ１００は、入出力部１０２から、商品ＩＤ及び販売先を入力し、販売先を落札者ＩＤとしてインボイスファイルの商品ＩＤ及び落札者ＩＤに格納する。さらに、商品化サーバ１００は、商品ＩＤに基づいて出品明細Ｄ／Ｂ１０３Ｄから端末情報とランクを読出し、それぞれインボイスファイル１０３Ｇの端末情報トランクに格納する。
【０１４６】
商品化サーバ１００は、応札者端末２０からの要求に応じてインボイスファイル１０３Ｇを応札者端末２０に送信する。
【０１４７】
なお、識別子読取部は、バーコードリーダ１０５の他に無線タグリーダライタを用いることもできる。この場合、識別子出力部は無線タグリーダライタを備えるラベルプリンタを使用することができる。
【０１４８】
また、検査結果ファイル１０３Ｂの内容を端末Ｄ／Ｂ１０３Ａに格納し、検査結果ファイル１０３Ｂを省略することもできる。
【０１４９】
上述した例によっては、商品化サーバ１００は工程管理機能と、入札機能と、を併せ持っている。商品化サーバ１００は負荷を低減させるために入札機能を別のサーバにすることもできる。
【０１５０】
図１６は、入札サーバ２００を設けた携帯端末商品化装置１０の構成を示す図である。図１６に示すように、携帯端末商品化装置１０は、商品化サーバ１００と、入札サーバ２００と、を備える。
【０１５１】
商品化サーバ１００の構成は、記憶部１０３に端末Ｄ／Ｂ１０３Ａ、検査結果ファイル１０３Ｂ、及びトランザクションファイル１０３Ｃを記憶するほかは、図１に示した商品化サーバ１００構成と同様である。
【０１５２】
入札サーバ２００は、入札処理制御部である制御部２０１と、入出力部２０２と、記憶部２０３と、通信部２０４と、を備える。制御部２０１と、入出力部２０２と、記憶部２０３と、通信部２０４は、制御部１０１、入出力部１０２、記憶部１０３、通信部１０４の構成と同様である。記憶部２０３は、出品明細Ｄ／Ｂ１０３Ｄ、落札ファイル１０３Ｆ、応札ファイル１０３Ｅ、及びインボイスファイル１０３Ｇを記憶する点において記憶部１０３と異なる。応札端末２０は公衆通信回線網３０を介して入札サーバ２００に接続する。商品化サーバ１００は公衆通信回線網３０を介して入札サーバ２００と接続してもよい。
【０１５３】
入札サーバ２００の動作は、図１に示した商品化サーバ１００が行っていた入札・インボイス発行処理、及び個別販売・インボイス発行処理を行う。入札・インボイス発行処理については図１４を用いて、個別販売・インボイス発行処理については図１５を用いて説明した。入札・インボイス発行処理においては、入札サーバ２００は、商品化サーバ１００が送信したトランザクションファイル１０３Ｃを受信して出品明細Ｄ／Ｂ１０３Ｄを生成する。
【０１５４】
以上述べたように、本実施形態の携帯端末商品化工程管理装置１０は、携帯端末に固有に割り当てられる識別子ごとに携帯端末を識別して管理する情報である管理情報、携帯端末の状態に関する情報である端末情報、携帯端末の等級を示すランク、及び携帯端末の個人情報の消去工程を含む商品化の工程ごとの開始または完了を示す工程管理情報を格納する端末Ｄ／Ｂ１０３Ａと、携帯端末に割り当てられた識別子ごとに検査工程において検査された携帯端末の検査結果を検査項目別に格納する検査結果ファイル１０３Ｂと、情報を入出力する入出力部１０２と、携帯端末に付された識別子であるバーコードを読み取る識別子読取部と、識別子読取部によって入力された識別子、及び工程ごとの開始又は完了を示すコードに基づいて端末Ｄ／Ｂを更新し、工程管理情報を端末Ｄ／Ｂ１０３Ａから読み出して工程ごとの進捗状況を示す管理画面１２０１を入出力部１０２の表示装置に表示し、識別子ごとに検査結果ファイル１０３Ｂから検査結果を読み出してランクを判定する制御部と、を備える。
【０１５５】
従って、複数の携帯端末の商品化作業の工程を一括して管理できる携帯端末商品化工程管理装置及び携帯端末商品化工程管理方法を提供することができるという効果がある。
【０１５６】
また、本実施形態の携帯端末商品化工程管理装置１０は、制御部１０１が端末Ｄ／Ｂ１０３Ａから端末情報を読み出して入札関連情報を生成し、出品明細Ｄ／Ｂ１０３Ｄに格納する。
【０１５７】
従って、工程管理の情報から直接入札に必要なデータを生成することができ、入力の手間が省けるとともに、入力ミス等を効果的に防ぐことができるという効果がある。
【０１５８】
さらに、制御部１０１は、落札ファイル１０３Ｆに基づいてインボイスの情報を格納するインボイスファイル１０３Ｇを生成し、応札者端末２０からの要求に応じてインボイスファイル１０３Ｇを応札者端末２０に送信する。
【０１５９】
従って、インボイスを郵送する手間が省け、応札者の便宜にも供するという効果がある。
【符号の説明】
【０１６０】
１０  携帯端末商品化工程管理装置
２０  応札者端末
３０  公衆通信回線網
１００  商品化サーバ
１０１  制御部
１０２  入出力部
１０３  記憶部
１０３Ｂ  検査結果ファイル
１０３Ｃ  トランザクションファイル
１０３Ｅ  応札ファイル
１０３Ｆ  落札ファイル
１０３Ｇ  インボイスファイル
１０４  通信部
１０５  バーコードリーダ
１０６  バーコードプリンタ
１２０１  管理画面
１２０２  グラフ表示欄
１２０３  詳細表示欄
１２０４  合計表示欄
【図１】
2018003055.tif 000003
【図２】
2018003055.tif 000004
【図３】
2018003055.tif 000005
【図４】
2018003055.tif 000006
【図５】
2018003055.tif 000007
【図６】
2018003055.tif 000008
【図７】
2018003055.tif 000009
【図８】
2018003055.tif 000010
【図９】
2018003055.tif 000011
【図１０】
2018003055.tif 000012
【図１１】
2018003055.tif 000013
【図１２】
2018003055.tif 000014
【図１３】
2018003055.tif 000015
【図１４】
2018003055.tif 000016
【図１５】
2018003055.tif 000017
【図１６】
2018003055.tif 000018
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
携帯端末に固有に割り当てられる識別子ごとに前記携帯端末の等級を示すランク、及び前記携帯端末の個人情報の消去工程を含む商品化の工程ごとの開始または完了を示す工程管理情報を格納する端末データベースと、
前記識別子ごとに検査工程において検査された前記携帯端末の検査結果を検査項目別にポイントにより格納する検査結果ファイルと、
情報を入出力する入出力部と、
前記携帯端末に付された前記識別子を読み取る識別子読取部と、
前記識別子読取部によって入力された前記識別子、及び前記工程ごとの開始又は完了を示すコードに基づいて前記端末データベースを更新し、前記工程管理情報を前記端末データベースから読み出して前記工程ごとの進捗状況を示す管理画面を前記入出力部に表示し、前記識別子ごとに前記検査結果ファイルから前記ポイントを読み出して合計値を求めることにより前記ランクを判定する制御部と、
を備える携帯端末商品化工程管理装置。
【請求項２】
入札のための情報である入札関連情報を格納する出品明細データベースをさらに備え、
前記端末データベースは、
前記携帯端末の状態に関する情報である端末情報をさらに格納し、
前記制御部は、
前記端末データベースから前記端末情報を読み出して前記入札関連情報を生成し、前記出品明細データベースに格納する請求項１に記載の携帯端末商品化工程管理装置。
【請求項３】
入札処理を行う制御部である入札処理制御部と、
入札のための情報である入札関連情報を格納する出品明細データベースと、
をさらに備え、
前記端末データベースは、
前記携帯端末の状態に関する情報である端末情報をさらに格納し、
前記制御部は、
前記端末データベースから前記端末情報を読み出して前記入札関連情報を生成し、
前記入札処理制御部は、
前記入札関連情報を前記出品明細データベースに格納する請求項１に記載の携帯端末商品化工程管理装置。
【請求項４】
前記入札処理制御部は、
公衆通信回線網を介して接続する応札者端末から応札を受け入れ、
前記応札の中から落札者を判定し、
落札に関する情報を格納する落札ファイルを生成する請求項３に記載の携帯端末商品化工程管理装置。
【請求項５】
前記入札処理制御部は、
前記落札ファイルに基づいてインボイスの情報を格納するインボイスファイルを生成し、前記応札者端末からの要求に応じて前記インボイスファイルを前記応札者端末に送信する請求項４に記載の携帯端末商品化工程管理装置。
【請求項６】
携帯端末に付された識別子を読み取る識別子読取部によって入力された前記識別子、及び前記携帯端末の個人情報の消去工程を含む商品化の工程ごとの開始又は完了を示すコードに基づいて、前記携帯端末に固有に割り当てられる前記識別子ごとに前記携帯端末の等級を示すランク、及び前記工程ごとの開始または完了を示す工程管理情報を格納する端末データベースを更新し、
前記工程管理情報を前記端末データベースから読み出して前記工程ごとの進捗状況を示す管理画面を入出力部に表示し、
前記識別子ごとに検査工程において検査された前記携帯端末の検査結果を検査項目別にポイントにより格納する検査結果ファイルから前記識別子ごとに前記ポイントを読み出して合計値を求めることにより前記ランクを判定する携帯端末商品化工程管理方法。
【請求項７】
前記携帯端末の状態に関する情報である端末情報をさらに格納する前記端末データベースから前記端末情報を読み出して入札のための情報である入札関連情報を生成し、
前記入札関連情報を出品明細データベースに格納する請求項６に記載の携帯端末商品化工程管理方法。
【請求項８】
公衆通信回線網を介して接続する応札者端末から応札を受け入れる請求項７に記載の携帯端末商品化工程管理方法。
【請求項９】
前記応札の中から落札者を判定し、落札に関する情報を格納する落札ファイルを生成する請求項８に記載の携帯端末商品化工程管理方法。
【請求項１０】
前記落札ファイルに基づいてインボイスの情報を格納するインボイスファイルを生成し、前記応札者端末からの要求に応じて前記インボイスファイルを前記応札者端末に送信する請求項９に記載の携帯端末商品化工程管理方法。
【手続補正２】
【補正対象書類名】明細書
【補正対象項目名】００１８
【補正方法】変更
【補正の内容】
【００１８】
携帯端末に固有に割り当てられる識別子ごとに前記携帯端末の等級を示すランク、及び前記携帯端末の個人情報の消去工程を含む商品化の工程ごとの開始または完了を示す工程管理情報を格納する端末データベースと、
前記識別子ごとに検査工程において検査された前記携帯端末の検査結果を検査項目別にポイントにより格納する検査結果ファイルと、
情報を入出力する入出力部と、
前記携帯端末に付された前記識別子を読み取る識別子読取部と、
前記識別子読取部によって入力された前記識別子、及び前記工程ごとの開始又は完了を示すコードに基づいて前記端末データベースを更新し、前記工程管理情報を前記端末データベースから読み出して前記工程ごとの進捗状況を示す管理画面を前記入出力部に表示し、前記識別子ごとに前記検査結果ファイルから前記ポイントを読み出して合計値を求めることにより前記ランクを判定する制御部と、
を備える携帯端末商品化工程管理装置。
【手続補正３】
【補正対象書類名】明細書
【補正対象項目名】００２８
【補正方法】変更
【補正の内容】
【００２８】
携帯端末に付された識別子を読み取る識別子読取部によって入力された前記識別子、及び前記携帯端末の個人情報の消去工程を含む商品化の工程ごとの開始又は完了を示すコードに基づいて、携帯端末に固有に割り当てられる前記識別子ごとに前記携帯端末の等級を示すランク、及び前記工程ごとの開始または完了を示す工程管理情報を格納する端末データベースを更新し、
前記工程管理情報を前記端末データベースから読み出して前記工程ごとの進捗状況を示す管理画面を入出力部に表示し、
前記識別子ごとに検査工程において検査された前記携帯端末の検査結果を検査項目別にポイントにより格納する検査結果ファイルから前記識別子ごとに前記ポイントを読み出して合計値を求めることにより前記ランクを判定する携帯端末商品化工程管理方法。
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
携帯端末に固有に割り当てられる識別子ごとに前記携帯端末の等級を示すランク、及び前記携帯端末の個人情報の情報抹消ソフトウエアによる消去工程を含む商品化の工程ごとの開始または完了を示す工程管理情報を格納する端末データベースと、
前記識別子ごとに各検査工程において検査された前記携帯端末の各検査結果の検査項目別のポイントと、各前記検査工程において前記携帯端末が商品化に際しての致命的な欠陥により商品化作業から離脱された場合には離脱の理由と、を格納する検査結果ファイルと、
情報を入出力する入出力部と、
前記携帯端末に付された前記識別子を読み取る識別子読取部と、
前記識別子読取部によって入力された前記識別子、及び前記工程ごとの開始又は完了を示すコードに基づいて前記端末データベースを更新し、前記工程管理情報を前記端末データベースから読み出して前記工程ごとの進捗状況を示す管理画面を前記入出力部に表示し、前記識別子ごとに前記検査結果ファイルから前記ポイントを読み出して合計値を求めることにより前記ランクを判定する制御部と、
を備える携帯端末商品化工程管理装置。
【請求項２】
入札のための情報である入札関連情報を格納する出品明細データベースをさらに備え、
前記端末データベースは、
前記携帯端末の状態に関する情報である端末情報をさらに格納し、
前記制御部は、
前記端末データベースから前記端末情報を読み出して前記入札関連情報を生成し、前記出品明細データベースに格納する請求項１に記載の携帯端末商品化工程管理装置。
【請求項３】
入札処理を行う制御部である入札処理制御部と、
入札のための情報である入札関連情報を格納する出品明細データベースと、
をさらに備え、
前記端末データベースは、
前記携帯端末の状態に関する情報である端末情報をさらに格納し、
前記制御部は、
前記端末データベースから前記端末情報を読み出して前記入札関連情報を生成し、
前記入札処理制御部は、
前記入札関連情報を前記出品明細データベースに格納する請求項１に記載の携帯端末商品化工程管理装置。
【請求項４】
前記入札処理制御部は、
公衆通信回線網を介して接続する応札者端末から応札を受け入れ、
前記応札の中から落札者を判定し、
落札に関する情報を格納する落札ファイルを生成する請求項３に記載の携帯端末商品化工程管理装置。
【請求項５】
前記入札処理制御部は、
前記落札ファイルに基づいてインボイスの情報を格納するインボイスファイルを生成し、前記応札者端末からの要求に応じて前記インボイスファイルを前記応札者端末に送信する請求項４に記載の携帯端末商品化工程管理装置。
【請求項６】
携帯端末に固有に割り当てられる識別子ごとに前記携帯端末の等級を示すランク、及び前記携帯端末の個人情報の情報抹消ソフトウエアによる消去工程を含む商品化の工程ごとの開始または完了を示す工程管理情報を格納する端末データベースと、
前記識別子ごとに各検査工程において検査された前記携帯端末の各検査結果の検査項目別のポイントと、各前記検査工程において前記携帯端末が商品化に際しての致命的な欠陥により商品化作業から離脱された場合には離脱の理由と、を格納する検査結果ファイルと、
情報を入出力する入出力部と、
前記携帯端末に付された前記識別子を読み取る識別子読取部と、
制御部と、
を備える携帯端末商品化工程管理装置の制御部が、
前記識別子読取部によって入力された前記識別子、及び前記携帯端末の個人情報の情報抹消ソフトウエアによる消去工程を含む商品化の工程ごとの開始又は完了を示すコードに基づいて、前記端末データベースを更新し、
前記工程管理情報を前記端末データベースから読み出して前記工程ごとの進捗状況を示す管理画面を入出力部に表示し、
前記検査結果ファイルから前記識別子ごとに前記ポイントを読み出して合計値を求めることにより前記ランクを判定する携帯端末商品化工程管理方法。
【請求項７】
前記制御部が、
前記携帯端末の状態に関する情報である端末情報をさらに格納する前記端末データベースから前記端末情報を読み出して入札のための情報である入札関連情報を生成し、
前記入札関連情報を出品明細データベースに格納する請求項６に記載の携帯端末商品化工程管理方法。
【請求項８】
前記制御部が、
公衆通信回線網を介して接続する応札者端末から応札を受け入れる請求項７に記載の携帯端末商品化工程管理方法。
【請求項９】
前記制御部が、
前記応札の中から落札者を判定し、落札に関する情報を格納する落札ファイルを生成する請求項８に記載の携帯端末商品化工程管理方法。
【請求項１０】
前記制御部が、
前記落札ファイルに基づいてインボイスの情報を格納するインボイスファイルを生成し、前記応札者端末からの要求に応じて前記インボイスファイルを前記応札者端末に送信する請求項９に記載の携帯端末商品化工程管理方法。
【手続補正２】
【補正対象書類名】明細書
【補正対象項目名】００１８
【補正方法】変更
【補正の内容】
【００１８】
携帯端末に固有に割り当てられる識別子ごとに前記携帯端末の等級を示すランク、及び前記携帯端末の個人情報の情報抹消ソフトウエアによる消去工程を含む商品化の工程ごとの開始または完了を示す工程管理情報を格納する端末データベースと、
前記識別子ごとに各検査工程において検査された前記携帯端末の各検査結果の検査項目別のポイントと、各前記検査工程において前記携帯端末が商品化に際しての致命的な欠陥により商品化作業から離脱された場合には離脱の理由と、を格納する検査結果ファイルと、
情報を入出力する入出力部と、
前記携帯端末に付された前記識別子を読み取る識別子読取部と、
前記識別子読取部によって入力された前記識別子、及び前記工程ごとの開始又は完了を示すコードに基づいて前記端末データベースを更新し、前記工程管理情報を前記端末データベースから読み出して前記工程ごとの進捗状況を示す管理画面を前記入出力部に表示し、前記識別子ごとに前記検査結果ファイルから前記ポイントを読み出して合計値を求めることにより前記ランクを判定する制御部と、
を備える携帯端末商品化工程管理装置。
【手続補正３】
【補正対象書類名】明細書
【補正対象項目名】００２８
【補正方法】変更
【補正の内容】
【００２８】
携帯端末に固有に割り当てられる識別子ごとに前記携帯端末の等級を示すランク、及び前記携帯端末の個人情報の情報抹消ソフトウエアによる消去工程を含む商品化の工程ごとの開始または完了を示す工程管理情報を格納する端末データベースと、
前記識別子ごとに各検査工程において検査された前記携帯端末の各検査結果の検査項目別のポイントと、各前記検査工程において前記携帯端末が商品化に際しての致命的な欠陥により商品化作業から離脱された場合には離脱の理由と、を格納する検査結果ファイルと、
情報を入出力する入出力部と、
前記携帯端末に付された前記識別子を読み取る識別子読取部と、
制御部と、
を備える携帯端末商品化工程管理装置の制御部が、
前記識別子読取部によって入力された前記識別子、及び前記携帯端末の個人情報の情報抹消ソフトウエアによる消去工程を含む商品化の工程ごとの開始又は完了を示すコードに基づいて、前記端末データベースを更新し、
前記工程管理情報を前記端末データベースから読み出して前記工程ごとの進捗状況を示す管理画面を入出力部に表示し、
前記検査結果ファイルから前記識別子ごとに前記ポイントを読み出して合計値を求めることにより前記ランクを判定する携帯端末商品化工程管理方法。
【手続補正４】
【補正対象書類名】明細書
【補正対象項目名】００３０
【補正方法】変更
【補正の内容】
【００３０】
前記制御部が、
前記携帯端末の状態に関する情報である端末情報をさらに格納する前記端末データベースから前記端末情報を読み出して入札のための情報である入札関連情報を生成し、
前記入札関連情報を出品明細データベースに格納する請求項６に記載の携帯端末商品化工程管理方法。
【手続補正５】
【補正対象書類名】明細書
【補正対象項目名】００３２
【補正方法】変更
【補正の内容】
【００３２】
前記制御部が、
公衆通信回線網を介して接続する応札者端末から応札を受け入れる請求項７に記載の携帯端末商品化工程管理方法。
【手続補正６】
【補正対象書類名】明細書
【補正対象項目名】００３４
【補正方法】変更
【補正の内容】
【００３４】
前記制御部が、
前記応札の中から落札者を判定し、落札に関する情報を格納する落札ファイルを生成する請求項８に記載の携帯端末商品化工程管理方法。
【手続補正７】
【補正対象書類名】明細書
【補正対象項目名】００３６
【補正方法】変更
【補正の内容】
【００３６】
前記制御部が、
前記落札ファイルに基づいてインボイスの情報を格納するインボイスファイルを生成し、前記応札者端末からの要求に応じて前記インボイスファイルを前記応札者端末に送信する請求項９に記載の携帯端末商品化工程管理方法。
【国際調査報告】
2018003055.tif 000019
2018003055.tif 000020
2018003055.tif 000021
2018003055.tif 000022